【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
可視光通信（ＶＬＣ）を使用して識別子を送信するための方法であって、
光源に関連付けられた照明係数を識別する入力を受信することと、
ＶＬＣを使用して前記識別子を送信するための１つまたは複数の変調パラメータの第１のセットを修正することと、１つまたは複数の変調パラメータの前記第１のセットが、前記照明係数に少なくとも部分的に基づいて修正される、
インターリービング信号を送信するための１つまたは複数の変調パラメータの第２のセットを修正することと、
前記インターリービング信号の第２の複数のインスタンスが入り交じった前記識別子の第１の複数のインスタンスを送信するために、その中で前記識別子が符号化された少なくとも１つの信号を前記光源に代替的に適用することと、前記少なくとも１つの信号が、１つまたは複数の変調パラメータの前記第１のセットまたは１つもしくは複数の変調パラメータの前記第２のセットに従って適用される、
を備える、方法。
【請求項２】
１つまたは複数の変調パラメータの前記第１のセットが、パルスデューティサイクル、パルス持続時間、パルス間隔、ＤＣバイアス、パルス振幅、またはパルス勾配のうちの少なくとも１つを備える、または、
１つまたは複数の変調パラメータの前記第１のセットがパルス勾配を備え、前記パルス勾配が、線形関数、区分線形ガウス関数、２乗余弦関数、多項式関数、または指数関数のうちの１つに従う、または
前記光源への前記少なくとも１つの信号の適用が、ＶＬＣを使用して前記光源から前記識別子を送信するために、前記光源の光強度を変調する、または
前記少なくとも１つの信号が、電流信号または電圧信号のうちの少なくとも１つを備える、請求項１に記載の方法。
【請求項３】
１つまたは複数の変調パラメータの前記第１のセットが、前記光源の熱性能、前記光源の音響性能、前記光源のちらつき性能、および前記識別子の送信されたインスタンスの信号対雑音比（ＳＮＲ）から構成されるグループから選択された少なくとも１つのメンバに少なくとも部分的に基づいてさらに修正される、請求項１に記載の方法。
【請求項４】
前記照明係数に少なくとも部分的に基づいて、１つまたは複数の変調パラメータの前記第１のセットを修正することが、
前記照明係数を総光出力に変換することと、
前記総光出力に少なくとも部分的に基づいて、１つまたは複数の変調パラメータの前記第１のセットを修正することと
を備える、好ましくは、
前記照明係数が薄暗さの割合を備え、前記総光出力がルーメンで表現される、請求項１に記載の方法。
【請求項５】
１つまたは複数の変調パラメータの前記第１のセットを修正することが、
照明係数を変調パラメータと関連付ける電子的に記憶されたデータベースにアクセスすること
を備える、好ましくは、
前記電子的に記憶されたデータベースが、少なくとも１つの照明係数を１つまたは複数の変調パラメータの少なくとも２つの異なるセットと関連付ける、請求項１に記載の方法。
【請求項６】
１つまたは複数の変調パラメータの前記第２のセットが、前記光源の熱性能に少なくとも部分的に基づいて修正される、または、
前記インターリービング信号が、定電流、または固定周波数を有するパルスを備える、または、
１つまたは複数の変調パラメータの前記第２のセットが、１つまたは複数の変調パラメータの前記第１のセットとは異なる、または、
１つまたは複数の変調パラメータの前記第２のセットが、前記インターリービング信号の第１の送信されたインスタンスの第１の平均光強度レベルを、前記識別子の第２の送信されたインスタンスの第２の平均光強度レベルと一致させるように修正される、請求項１に記載の方法。
【請求項７】
前記識別子が、シンボルのシーケンスとして、前記少なくとも１つの信号内で符号化される、好ましくは、
シンボルの前記シーケンスが、周波数シフトキーイングに少なくとも部分的に基づく、請求項１に記載の方法。
【請求項８】
可視光通信（ＶＬＣ）を使用して識別子を送信するための光伝送デバイスであって、
光源に関連付けられた照明係数を識別する入力を受信するための手段と、
ＶＬＣを使用して前記識別子を送信するための１つまたは複数の変調パラメータの第１のセットを修正するための手段と、１つまたは複数の変調パラメータの前記第１のセットが、前記照明係数に少なくとも部分的に基づいて修正される、
インターリービング信号を送信するための１つまたは複数の変調パラメータの第２のセットを修正するための手段と、
前記インターリービング信号の第２の複数のインスタンスが入り交じった前記識別子の第１の複数のインスタンスを送信するために、その中で前記識別子が符号化された少なくとも１つの信号を前記光源に代替的に適用するための手段と、前記少なくとも１つの信号が、１つまたは複数の変調パラメータの前記第１のセットまたは１つもしくは複数の変調パラメータの前記第２のセットに従って適用される、
を備える、光伝送デバイス。
【請求項９】
コントローラを介して光伝送デバイスに、光源に関連付けられた照明係数を識別する入力を送信することと、
可視光通信（ＶＬＣ）を使用して少なくとも１つの信号を受信することと、前記少なくとも１つの信号が前記光伝送デバイスの識別子を備え、ここにおいて、前記少なくとも１つの信号が、１つまたは複数の変調パラメータの第１のセットに従って、前記光伝送デバイスにおいて生成され、１つまたは複数の変調パラメータの前記第１のセットが、前記照明係数に少なくとも部分的に基づいて修正される、
インターリービング信号を受信することと、ここにおいて、前記識別子の第１の複数のインスタンスは、前記インターリービング信号の第２の複数のインスタンスが入り交じり、前記少なくとも１つの信号は、１つもしくは複数の変調パラメータの前記第１のセットまたは１つもしくは複数の変調パラメータの第２のセットに従って、前記光伝送デバイスにおいて代替的に生成される、
前記少なくとも１つの信号を復号して前記識別子を取得することと
を備える、ワイヤレス通信のための方法。
【請求項１０】
１つまたは複数の変調パラメータの前記第１のセットがパルス勾配を備え、前記パルス勾配が、線形関数、区分線形ガウス関数、２乗余弦関数、多項式関数、または指数関数のうちの１つに従う、請求項９に記載の方法。
【請求項１１】
前記少なくとも１つの信号が前記光伝送デバイスにおいて生成されることが、前記光源の光強度がＶＬＣを使用して前記光伝送デバイスから前記識別子を送信するために１つまたは複数の変調パラメータの前記第１のセットに従って変調されることを備える、請求項９に記載の方法。
【請求項１２】
１つまたは複数の変調パラメータの前記第１のセットが前記照明係数に少なくとも部分的に基づいて修正されることが、前記照明係数が総光出力に変換されることと、１つまたは複数の変調パラメータの前記第１のセットが前記総光出力に少なくとも部分的に基づいて修正されることとを備える、好ましくは、
前記照明係数が薄暗さの割合を備え、前記総光出力がルーメンで表現される、請求項９に記載の方法。
【請求項１３】
１つまたは複数の変調パラメータの前記第２のセットが、前記光源の熱性能に少なくとも部分的に基づいて修正される、または、
１つまたは複数の変調パラメータの前記第２のセットが、１つまたは複数の変調パラメータの前記第１のセットとは異なる、または、
１つまたは複数の変調パラメータの前記第２のセットが、前記インターリービング信号の第１の送信されたインスタンスの第１の平均光強度レベルを、前記識別子の第２の送信されたインスタンスの第２の平均光強度レベルと一致させるように修正される、請求項９に記載の方法。
【請求項１４】
コントローラを介して光伝送デバイスに、光源に関連付けられた照明係数を識別する入力を送信するための手段と、
可視光通信（ＶＬＣ）を使用して少なくとも１つの信号を受信するための手段と、前記少なくとも１つの信号が前記光伝送デバイスの識別子を備え、ここにおいて、前記少なくとも１つの信号が、１つまたは複数の変調パラメータの第１のセットに従って、前記光伝送デバイスにおいて生成され、１つまたは複数の変調パラメータの前記第１のセットが、前記照明係数に少なくとも部分的に基づいて修正される、
インターリービング信号を受信するための手段と、ここにおいて、前記識別子の第１の複数のインスタンスは、前記インターリービング信号の第２の複数のインスタンスが入り交じり、前記少なくとも１つの信号は、１つもしくは複数の変調パラメータの前記第１のセットまたは１つもしくは複数の変調パラメータの第２のセットに従って、前記光伝送デバイスにおいて代替的に生成される、
前記少なくとも１つの信号を復号して前記識別子を取得するための手段と
を備える、ワイヤレス通信のためのモバイルデバイス。
【請求項１５】
デバイスに、請求項１−７または９−１３のうちのいずれかに記載の方法を実行させるように、プロセッサによって実行可能な命令を記憶する、非一時的コンピュータ可読媒体。